(57)【要約】【課題】施設の規模の変更に柔軟に対応でき、災害時の避難場所として使用できるだけではなく、貯水施設としても使用でき、更には簡単且つ短期間で施工でき、施工コストを抑えることができる緊急避難用地下施設を提供する。【解決手段】地下に構築する緊急避難用地下施設である。横向き状に埋設する複数のヒューム管１と、このヒューム管１に出入りするための出入口部２ａを側壁に有する通路形成部材２とを備えて構築する。ヒューム管１と通路形成部材２を、出入口部２ａを介して連通状に接続する。この場合、本考案は、ヒューム管１と通路形成部材２を、水平面上で直交状に配置するのが良い。またヒューム管１と通路形成部材２は、照明類の設備６を備えているのが好ましい。【選択図】      図１
0003216424.tif 000002
【実用新案登録請求の範囲】
【請求項１】
地下に構築される緊急避難用地下施設であって、横向き状に埋設される複数のヒューム管と、このヒューム管に出入りするための出入口部を側壁に有する通路形成部材とを備えて構築され、上記のヒューム管と通路形成部材が、上記の出入口部を介して連通状に接続されていることを特徴とする緊急避難用地下施設。
【請求項２】
請求項１記載の緊急避難用地下施設であって、ヒューム管と通路形成部材が、水平面上で直交状に配置されていることを特徴とする緊急避難用地下施設。
【請求項３】
請求項１又は２記載の緊急避難用地下施設であって、ヒューム管と通路形成部材が、照明類の設備を備えて形成されていることを特徴とする緊急避難用地下施設。
【考案の詳細な説明】
【技術分野】
【０００１】
本考案は、緊急避難用地下施設に関し、更に詳しくは地震等の災害時に住民が、例えばペット等を伴って一時的に避難するのに好適な緊急避難用地下施設に関するものである。
【背景技術】
【０００２】
従来、この種の施設としては、例えば特許文献１に記載されているものがある。
【０００３】
特許文献１に記載の従来技術は、緊急避難用のシェルターである。この従来例は、中空形状の第１の本体部に第２の本体部を外装し、第１、第２の本体部の間の空間部に、コンクリート材料を充填して構成したことを特徴としている。
【０００４】
而して、上記の従来施設は、本体部の大きさを変えることで収容人数を増やす構造であった。そのため、この従来施設の場合は、サイズを違えた本体部を各種製造する必要があったから、これによると、施設の規模の変更や、大型化に柔軟に対応できない、という問題点があった。
【０００５】
またこの種の地下施設は、地震等の際の避難場所として使用できるだけではなく、豪雨の際は洪水を防止できるよう貯水施設としても機能するよう構成されているのが望ましい。
【０００６】
しかるに、特許文献１に記載の従来施設は、地震等の際に住民が避難するためのシェルターとして機能するのに止まるものであった。
【０００７】
またこの種の施設は、日常的に使用されるものではないから、なるべく低コストで提供できるよう構成されているのが望ましい。
しかるに、従来施設は、住宅用としての使用も想定しているため、構造が複雑で、施工に手間暇がかかり、その分、施工費用が増加するのを避けられない、という問題点があった。
【先行技術文献】
【特許文献】
【０００８】
【特許文献１】特開２０１７−５７５９０号公報
【考案の概要】
【考案が解決しようとする課題】
【０００９】
本考案は、このような従来技術の問題点に鑑み、提案されたものである。
従って、本考案の解決しようとする技術的課題は、施設の規模の変更に柔軟に対応でき、災害時の避難場所として使用できるだけではなく、貯水施設としても使用でき、更には簡単且つ短期間で施工でき、施工コストを抑えることができるよう構成した緊急避難用地下施設を提供することにある。
【課題を解決するための手段】
【００１０】
本考案は、上記の課題を解決するため、次のような技術的手段を採る。
即ち、本考案は、図１等に示されるように、地下に構築される緊急避難用地下施設であって、横向き状に埋設される複数のヒューム管１と、このヒューム管１に出入りするための出入口部２ａを側壁に有する通路形成部材２とを備えて構築され、上記のヒューム管１と通路形成部材２が、上記の出入口部２ａを介して連通状に接続されていることを特徴とする（請求項１）。
【００１１】
この場合、本考案は、図２に示されるように、ヒューム管１と通路形成部材２が、水平面上で直交状に配置されているのが好ましい（請求項２）。
【００１２】
なぜなら、これによると、ヒューム管１と通路形成部材２を、縦横に並べて効率良く設置でき、規模の変更、大型化により一層柔軟に対応できるからである。
【００１３】
また本考案は、ヒューム管１と通路形成部材２が、照明類の設備６を備えて形成されているのが好ましい（請求項３）。
【００１４】
なぜなら、これによると、避難を安全にでき、避難時の住居環境が良好になるからである。ここで、設備６には、照明器具や照明用の配線、照明器具の吊下げ用器具、照明器具等を取り付けるためのアンカーボルトのほか、空調、ガス、上下水道の配管等も含まれる。
【考案の効果】
【００１５】
本考案の緊急避難用地下施設は、このように通路形成部材から各ヒューム管に出入りする構造のため、ヒューム管の個数を増やし、各ヒューム管と通路形成部材とを連通することで、簡単に収容人数を増加することができる。
【００１６】
従って、これによれば、規模の変更を簡単、容易にでき、避難者が増える場合でも、柔軟に対応できる。
【００１７】
また本考案の場合は、地震等の際の避難場所として使用できるだけではなく、洪水のおそれがあるときは貯水施設としても使用できる。
【００１８】
更に本考案の施設は、ヒューム管を使用して構築する構造である。
従って、これによれば、施工を簡単化、迅速化でき、施工コストを低廉化できる、という実用上優れた効果を奏する。
【図面の簡単な説明】
【００１９】
【図１】本考案の緊急避難用地下施設の好適な一実施形態を示す要部斜視図である。
【図２】同上施設の要部平面図である。
【図３】図２のＩＩＩ―ＩＩＩ線における要部断面図である。
【図４】図２のＩＶ―ＩＶ線における要部断面図である。
【図５】ヒューム管の要部斜視図である。
【図６】図５のＶＩ―ＶＩ線における要部断面図である。
【図７】通路形成部材の斜視図である。
【図８】通路形成部材の側面図である。
【考案を実施するための形態】
【００２０】
以下、本考案の好適な一実施形態を、添付図面に従って説明する。
本考案は、図１等に示されるように、地下に構築される緊急避難用地下施設である。
【００２１】
本考案は、横向き状に埋設される複数のヒューム管１と、このヒューム管１に出入りするための出入口部２ａを側壁に有する通路形成部材２とを備えて構築されている。ヒューム管１と通路形成部材２は、出入口部２ａを介して連通状に接続されている。
【００２２】
上記のヒューム管１は、管そのものが構造体として成立する剛性管であり、外圧に対する強度が高いのが特徴である。ヒューム管１は、図３等に示されるように、打設したコンクリ―ト３の上に、横向き状に配置されている。
【００２３】
またヒューム管１は、図２に示されるように、この実施形態では通路形成部材２を介して直列状に複数接続されると共に、並列されている。そして、ヒューム管１と通路形成部材２は、水平面上で直交するよう配置されている。
【００２４】
従って、これによれば、狭い面積でも効率良く施設を大規模化でき、収容人数を増やすことができる。またヒューム管１の個数を増減することで、設置箇所の面積等の諸条件に合わせ、柔軟に対応できる。
【００２５】
なお、ヒューム管１の接続は、ヒューム管１の管端と通路形成部材２との接触箇所に、例えばシール材を塗布することで行われる。ヒューム管１は、内部の下側にパネル状の床材１ａ（図６参照）が設けられている。
【００２６】
また上記の通路形成部材２は、図７に示されるように、この実施形態では角溝状の単位体２ｂが、直列状に複数接続されることで形成されている。単位体２ｂは、コンクリートで形成され、側端部２ｂ１がクランク形に凹まれている。そして、隣り合う単位体２ｂの側端部２ｂ１同士が合わされ、接触部がシールされることで出入口部２ａが、縦長の方形の開口に形成されている。
【００２７】
またヒューム管１と通路形成部材２は、図３等に示されるように、この実施形態では土４で覆われ、上面が整地されている。これにより、本考案の施設は、上面を、例えば駐車場やグラウンド、或いは農地等として利用できるものである。
【００２８】
なお、図３等に示されるように、通路形成部材２の端部には、階段５が設けられている。通路形成部材２は、この階段５を介して地上と行き来できるよう構築されている。この場合、本考案は、貯水施設としての機能を確実に発揮できるよう、階段５の入り口に、扉等の開閉部材が水密状に設けられているのが良い。
【００２９】
またヒューム管１と通路形成部材２は、照明類の設備６を備えて形成されている。この設備６としては、具体的には、例えば照明器具、照明用の配線、照明器具の吊下げ用器具、照明器具等を取り付けるためのアンカーボルトなどがある。なお、この設備６には、その他、例えば空調、ガス、上下水道の配管等も含まれる。
【００３０】
次に、本考案の使用例を説明する。
避難者７（図４参照）は、地震等の緊急時に、例えばペット等を伴って階段５を降りて通路形成部材２内に入る。そして、通路形成部材２を歩き、左右の各出入口部２ａから任意のヒューム管１内に入って避難する。
【００３１】
この場合、本施設は、ヒューム管１を複数備えている。従って、これによれば、一家族ごと、一つのヒューム管１に避難することができる。
【００３２】
なお、本考案の施設は、豪雨の際の調整池としての機能も有している。即ち、豪雨の際に河川等から溢れ、地面を伝わって流れる水は、階段５から通路形成部材２、出入口部２ａを介して各ヒューム管１に流れ込み、一時的に溜められる。従って、これによれば、河川の氾濫を抑えることができ、下流域の水害を防止できる。
【符号の説明】
【００３３】
１      ヒューム管
２      通路形成部材
２ａ    出入口部
６      照明類の設備
【図１】
0003216424.tif 000003
【図２】
0003216424.tif 000004
【図３】
0003216424.tif 000005
【図４】
0003216424.tif 000006
【図５】
0003216424.tif 000007
【図６】
0003216424.tif 000008
【図７】
0003216424.tif 000009
【図８】
0003216424.tif 000010